(57)【要約】【課題】底面部が開口する灰皿の下方に吸殻搬送空間が形成され、該空間に設置した吸殻回収ベルトにより灰皿に投入される吸殻を回収するとともに、前記吸殻搬送空間と連通する排煙ダクトが形成され、該排煙ダクトを介して灰皿周辺の煙を外部に排出する吸殻回収設備において、どの位置にある灰皿も同じ吸引力で煙を吸い込むようにする。【解決手段】灰皿４の底面開口部に接続して下端が吸殻搬送空間６に挿入される筒状の吸殻投入ガイド５を設けるとともに、前記吸殻搬送空間６と排煙ダクト８とを、吸殻搬送空間６への突出長を変更可能で、かつ吸殻搬送空間６側の端部が前記吸殻投入ガイド５の下端よりも上方に位置する連通パイプ１１で連通させる。【選択図】図２
2005073570.tif 000002
【特許請求の範囲】
【請求項１】
底面部が開口する灰皿の下方に吸殻搬送空間が形成され、該空間に設置した吸殻回収ベルトにより灰皿に投入される吸殻を回収するとともに、前記吸殻搬送空間と連通する排煙ダクトが形成され、該排煙ダクトを介して灰皿周辺の煙を外部に排出する吸殻回収設備において、前記灰皿の底面開口部に接続して下端が前記吸殻搬送空間に挿入される筒状の吸殻投入ガイドを設けるとともに、前記吸殻搬送空間と前記排煙ダクトとを、吸殻搬送空間への突出長を変更可能で、かつ吸殻搬送空間側の端部が前記吸殻投入ガイドの下端よりも上方に位置する連通パイプで連通させたことを特徴とする吸殻回収設備。
【発明の詳細な説明】
【技術分野】
【０００１】
本発明は、パチンコ店等の遊技場や娯楽施設に設置され、灰皿に投入される吸殻を自動的に回収するとともに、灰皿周辺の煙草の煙や臭いを吸引して屋外に排出する吸殻回収設備に関する。
【背景技術】
【０００２】
上記吸殻回収設備は、底面部が開口する灰皿の下方に吸殻搬送空間が形成され、該空間に設置した吸殻回収ベルトにより灰皿に投入される吸殻を回収するとともに、前記吸殻搬送空間と連通する排煙ダクトが形成され、該排煙ダクトを介して灰皿周辺の煙を外部に排出するようになっている。
【０００３】
複数の遊技機が細長い遊技機取付枠（以下「島」とする）に沿って直線状に配置されている遊技場の場合、島の端部に吸殻回収位置が設けられており、各遊技機の前面側に配置した灰皿に投入される吸殻が、吸殻回収ベルトによって吸殻回収位置まで運ばれて回収される。また、従来の吸殻回収設備では、排煙吸引用のブロアや集塵装置も島の端部に設けられており、吸引した煙をそれぞれの島ごとに外部に排出するようになっていた。
【０００４】
【特許文献１】特開平９−２７１５８０号公報
【発明の開示】
【発明が解決しようとする課題】
【０００５】
しかしながら、上記のように島ごとに排煙処理するように構成すると、ブロアや集塵装置が島の数だけ必要となり、設備費用が高くつくとともに、ブロアの位置が遊技機に近いので、ブロアの発生する騒音が気になるという問題がある。ブロアや集塵装置を場外の一箇所に設け、各島の排煙を一括に行うようにすれば上記問題は生じないが、その場合には、灰皿からブロアまでの距離の遠近差が大きく、遠い灰皿と近い灰皿とで煙の吸引力が大きく違ってくるという別の問題が生じる。このため、従来は、各島の排煙を一括に行うことができなかった。
【０００６】
そこで、簡単な構成で灰皿ごとに煙の吸引力を調整できるようにし、各島の排煙を一括に行うことを可能にすることが本発明の課題である。
【課題を解決するための手段】
【０００７】
上記課題に対し、本発明は次の技術的手段を講じた。すなわち、本発明にかかる吸殻回収設備は、底面部が開口する灰皿の下方に吸殻搬送空間が形成され、該空間に設置した吸殻回収ベルトにより灰皿に投入される吸殻を回収するとともに、前記吸殻搬送空間と連通する排煙ダクトが形成され、該排煙ダクトを介して灰皿周辺の煙を外部に排出する吸殻回収設備において、前記灰皿の底面開口部に接続して下端が前記吸殻搬送空間に挿入される筒状の吸殻投入ガイドを設けるとともに、前記吸殻搬送空間と前記排煙ダクトとを、吸殻搬送空間への突出長を変更可能で、かつ吸殻搬送空間側の端部が前記吸殻投入ガイドの下端よりも上方に位置する連通パイプで連通させたことを特徴としている。
【０００８】
ブロアを作動させた状態で火のついた煙草を灰皿に置くと、煙草から発生する煙が、吸殻投入ガイドを通って吸殻搬送空間に吸い込まれ、さらに吸殻搬送空間を上方へ移動して、連通パイプを通って排煙ダクトに入る。連通パイプの吸殻搬送用空間への突出長を変更することにより、吸殻搬送空間内の煙の流路が変わり、煙の流通抵抗が違ってくる。したがって、ブロアから遠い灰皿ほど流通抵抗が小さく、ブロアから近い灰皿ほど流通抵抗が大きくなるように連通パイプの吸殻搬送用空間への突出長を調整することにより、どの灰皿も同じ吸引力で煙を吸引するように設定できる。
【発明の効果】
【０００９】
この発明による吸殻回収設備は、連通パイプの吸殻搬送空間への突出長を調整するだけでどの灰皿も同じ吸引力で煙を吸引するように設定できるので、多数の灰皿が広い範囲に分散して配置されている場合でも各灰皿周辺の排煙を共通のブロアで一括して行うことが可能になり、設備費用の低減化とブロアによる騒音の減少を達成できる。
【発明を実施するための最良の形態】
【００１０】
本発明の吸殻回収設備をパチンコ店に適用した例について説明する。
【実施例１】
【００１１】
図１は吸殻回収設備の構成を示す図、図２及び図３はその主要部の断面図である。この吸殻回収設備が設置されたパチンコ店は、並列に配置された複数の島１の両側にそれぞれ複数の遊技機２が設けられている。各遊技機２の前面側には物置台３が設置され、その物置台３の上面部に各遊技機に対応して灰皿４が取り付けられている。灰皿４は、底面部が開口し、その開口部に接続して下部ほど細い筒状の吸殻投入ガイド５が一体に形成された形態で、物置台３に形成された吸殻取付空間６に吸殻投入ガイド５が嵌り込んでいる。
【００１２】
物置台３の下側には吸殻搬送空間７と排煙ダクト８とが一体に形成された管体９が物置台３の長手方向に沿って設けられている。管体９の上面部は吸殻取付空間６の位置に合わせて開口しており、吸殻搬送空間７と吸殻取付空間６とがつながっている。したがって、吸殻取付空間６は吸殻搬送空間７の一部であるとみなすことができる。
【００１３】
吸殻搬送空間７の底部には、吸殻回収ベルト１０の往路部１０ａが摺動自在に支持されている。吸殻回収ベルト１０の復路部１０ｂは、管体９の下側に支持されている。図示しないモータを駆動して吸殻回収ベルト１０が作動させると、往路部１０ａが所定方向に移動し、灰皿４から投入された吸殻を島の端部に設けた吸殻回収位置まで搬送する。なお、灰皿４に投入された吸殻は、吸殻投入ガイド５に案内されて吸殻回収ベルト１０の往路部１０ａ上の適正位置に落下するようになっている。
【００１４】
排煙ダクト８は、連通パイプ１１を介して、吸殻搬送空間７の一部である吸殻取付空間６と連通している。パイプ孔１２の吸殻搬送用空間７側の開口部は前記吸殻投入ガイド５の下端よりも上位に位置している。連通パイプ１１は、物置台３に穿設されたパイプ孔１２にスライド可能に貫通しており、吸殻搬送空間７及び排煙ダクト８への突出長を調整することができる。
【００１５】
排煙ダクト８は適所に排煙口１３が形成され、その排煙口１３に第１ダクトホース１４が接続されている。島１の両面の排煙ダクト８にそれぞれ接続された２本の第一ダクトホース１４，１４が島１の内部で第二ダクトホース１５に一本化され、その第二ダクトホース１５が島１の内部を通って天井裏まで延ばされて、天井裏に配設した配管１６に接続されている。配管１６の先は遊技場空間の外に設置した集塵機１７、ブロア１８、消音器１９に順に接続されている。
【００１６】
吸殻回収ベルト１０及びブロア１８を作動させた状態で、遊技客が灰皿４に吸殻を投入すると、その投入された吸殻が吸殻投入ガイド５に案内されて吸殻回収ベルト１０の往路部１０ａ上に落下し、該吸殻回収ベルト１０により吸殻回収位置まで搬送されて、回収容器に回収される。
【００１７】
また、吸いかけの煙草２０を灰皿４の上に載置すると、その煙草から発生する煙や臭いが、ブロア１８の吸引作用により、吸殻取付空間６、連通パイプ１１、排煙ダクト８、第一ダクトホース１４、第二ダクトホース１５、配管１６を順に通って集塵機１７に集められ、該集塵機でニコチンやタールを除去された後、消音器１９を通って屋外に排出される。
【００１８】
この吸殻回収設備の設置時には、ブロア１８から近い位置にある灰皿４については、図２に示すように、連通パイプ１１の吸殻取付空間６への突出長を長くし、ブロア１８から近い位置にある灰皿４については、図３に示すように、連通パイプ１１の吸殻取付空間６内の突出長を短くしておく。連通パイプ１１の吸殻取付空間６への突出長を長くするほど、吸殻投入ガイド５の下端から吸殻取付空間６を経て連通パイプ１１に至る煙（空気）の流れが大きく蛇行するため、煙の流通抵抗が大きくなる。このため、ブロア１８から遠い灰皿４の流通抵抗は小さく、ブロア１８から近い灰皿４の流通抵抗は大きくなり、どの灰皿４もほとんど同じ吸引力で煙を吸い込む。
【実施例２】
【００１９】
図４は島の内部にパチンコ玉の研磨機が設置されている場合のダクトホース配索方法を表している。この場合、研磨機が邪魔になり、島１の両面の排煙ダクト８にそれぞれ接続された２本の第一ダクトホース１４，１４を一本化できないので、各第一ダクトホース１４，１４をそれぞれ個別に第二ダクトホース１５，１５を接続し、それら２本の第二ダクトホース１５，１５を天井裏の配管１６に接続する。
【実施例３】
【００２０】
図５はダクトホース及び配管の異なる配索方法を表している。この吸殻回収設備では、配管１６が床下に配設され、それにもとない２本のダクトホース１４，１４を下向きに設けて、それを一本化して床下の配管１６に接続させている。
【産業上の利用可能性】
【００２１】
本発明の吸殻回収設備は、パチンコ、スロットマシン等の遊技場の他、多くの人が集まる飲食店や事業所にも適用できる。
【図面の簡単な説明】
【００２２】
【図１】吸殻回収設備の構成を示す図である。（実施例１）
【図２】主要部の断面図である。（実施例１、２、３）
【図３】異なる状態を示す主要部の断面図である。（実施例１、２、３）
【図４】吸殻回収設備の構成を示す図である。（実施例２）
【図５】吸殻回収設備の構成を示す図である。（実施例３）
【符号の説明】
【００２３】
１    島
２    遊技機
４    灰皿
５    吸殻投入ガイド
６    灰皿取付空間（吸殻搬送空間）
７    吸殻搬送空間
８    排煙ダクト
１０    吸殻回収ベルト
１１    連通パイプ
１８    ブロア
【図１】
2005073570.tif 000003
【図２】
2005073570.tif 000004
【図３】
2005073570.tif 000005
【図４】
2005073570.tif 000006
【図５】
2005073570.tif 000007